(57)【特許請求の範囲】
【請求項１】
上下に面を有する第１平坦要素と、
上下に面を有する第２平坦要素と
を有し、
前記第１平坦要素の下面と前記第２平坦要素の上面との間に、メモリ・メディア・カードを受けることができるポートが形成されるように、前記第１平面と前記第２平面とが配置され、
さらに、前記ポート内に配置されるように、前記第１平坦要素の下面又は前記第２平坦要素の上面から突出し、１セットのメモリ・メディア・カード・コンタクトと接触することができる、少なくとも１セットのコンタクト・ピンと、
前記コンタクト・ピンのセットのいくつかのピンを、メディア・カードの種類に対応させていくつかの信号のラインにマッピングする制御装置と
を有し、
前記コンタクト・ピンのセットのいくつかのピンを、メディア・カードの種類に対応させていくつかの信号のラインにマッピングする前記制御装置は、アダプタの設計・製造のコストを低下させるために、前記ポートを、共通の内側幅と共通の内側高さを有する段差を有しない空間とすることを可能とすることを特徴とするマルチメモリ・メディア・アダプタ。
【請求項２】
前記第１平坦要素と前記第２平坦要素が、成型プラスチックから形成される請求項１に記載のマルチメモリ・メディア・アダプタ。
【請求項３】
前記ポートが、複数の位置決めを含み、各位置決めが、メモリ・メディア・カード・タイプに対応する請求項２に記載のマルチメモリ・メディア・アダプタ。
【請求項４】
ＰＣＭＣＩＡコネクタ、ＩＤＥ、コンパクトフラッシュ（登録商標）・コネクタからなる群から選択された標準システム・コネクタをさらに有する請求項１に記載のマルチメモリ・メディア・アダプタ。
【請求項５】
前記コンタクト・ピンが、前記成型プラスチック内に統合される請求項２に記載のマルチメモリ・メディア・アダプタ。
【請求項６】
前記コンタクト・ピンの弾性が維持されるように、前記コンタクト・ピンが形成される請求項１に記載のマルチメモリ・メディア・アダプタ。
【請求項７】
前記コンタクト・ピンの末端が、前記メモリ・メディア・カード・コンタクトから押し出され、それにより、前記コンタクト・ピンが、前記メモリ・メディア・カードからの取外し中に損傷されることを防止するように作用するように、前記コンタクト・ピンが形成される請求項１に記載のマルチメモリ・メディア・アダプタ。
【請求項８】
前記第１平坦要素の前記下面から突出する第１セットの９つのコンタクト・ピンと、前記第１平坦要素の前記下面から突出する第２セットの１０のコンタクト・ピンと、前記第２平坦要素の前記上面から突出する第３セットの１１のコンタクト・ピンと、前記第２平坦要素の前記上面から突出する第４セットの１１のコンタクト・ピンとを有する請求項１に記載のマルチメモリ・メディア・アダプタ。
【請求項９】
信号ランプからの光が、前記ポートを経て送られるように、光パイプが、前記第１平坦要素と前記第２平坦要素との間でロックされる請求項５に記載のマルチメモリ・メディア・アダプタ。
【請求項１０】
少くとも１組のコンタクト・ピンと電気的に接続した標準的コネクタを更に有する請求項１記載のマルチメモリ・メディア・アダプタ。
【請求項１１】
複数のメモリ・メディアのそれぞれからデータを読み取ることができるマルチメモリ・メディア・アダプタであって、ポートがマルチメモリ・メディア・アダプタの上側部分と下側部分との間に形成されるように、マルチメモリ・メディア・アダプタが形成され、前記ポートが、メモリ・メディア・カードを受けることができ、マルチメモリ・メディア・アダプタが、前記上側部分又は前記下側部分から突出する少なくとも１セットのコンタクト・ピンを有し、前記少なくとも１セットのコンタクト・ピンが、１セットのメモリ・メディア・カード・コンタクトと接触することができ、また、前記アダプタは、コンタクト・ピンのセットのいくつかのピンを、メディア・カードの種類に対応させていくつかの信号のラインにマッピングすることができ、かつ、アダプタの設計・製造のコストを低下させるために、前記ポートを、共通の内側幅と共通の内側高さを有する段差を有しない空間とすることを可能とする、マルチメモリ・メディア・アダプタと、
データをデジタル処理装置に送り、前記少なくとも１セットのコンタクト・ピンに電気的に接続される標準的コネクタと
を備えるマルチメディア・アダプタ装置。
【請求項１２】
前記マルチメモリ・メディア・アダプタが成型材料から形成される請求項１１に記載の装置。
【請求項１３】
前記ポートが複数の位置決めを含み、各位置決めがメモリ・メディア・カード・タイプに対応する請求項１１に記載の装置。
【請求項１４】
成型プラスチックから形成される第１要素と、
成型プラスチックから形成され、かつ、ポートが前記第１要素との間に形成されるように前記第１要素に結合され、前記ポートがメモリ・メディア・カードを受けることができる第２要素と、
前記ポート内に配置されるように、前記第１要素又は前記第２要素から突出し、前記少なくとも１セットのコンタクト・ピンが、１セットのメモリ・メディア・カード・コンタクトと接触することができる、少なくとも１セットのコンタクト・ピンと、
前記コンタクト・ピンのセットのいくつかのピンを、メディア・カードの種類に対応させていくつかの信号のラインにマッピングし、かつアダプタの設計・製造のコストを低下させるために、前記ポートを、共通の内側幅と共通の内側高さを有する段差を有しない空間とすることを可能とする制御装置と
を備えるアダプタ装置。
【請求項１５】
少くとも１組のコンタクト・ピンと電気的に接続した標準的コネクタを更に有する請求項１４記載のマルチメモリ・メディア・アダプタ。
【請求項１６】
複数の各メモリ・メディアからデータを読み取ることの可能なマルチ・メモリ・メディア・アダプタと；
上側部又は下側部から突出し、１セットのメモリ・メディア・カード・コンタクトと接触可能な少くとも１セットのコンタクト・ピンと；
マルチメモリ・メディア・アダプタ内に埋込まれた制御装置チップと；
から構成され、
上記マルチメモリ・メディア・アダプタは、少くとも１つのポートがこのアダプタの上側部分と下側部分との間に形成されるようにプラスチックで形成され、上記ポートはメモリ・メディア・カードを受けることが出来、このポートはメモリ・メディア・カード・タイプに対応する複数の受入れ部を有し；更に前記コンタクト・ピンは成型プラスチック内に統合されており；且つ上記制御装置チップは、挿入されたメモリ・メデイアのタイプに応じて、複数のメモリ・メディアのためにピン構造を変形させるように動作し、かつアダプタの設計・製造のコストを低下させるために、前記ポートを、共通の内側幅と共通の内側高さを有する段差を有しない空間とすることを可能とすることを特徴とするマルチメモリ・メディア・アダプタ装置。
【発明の詳細な説明】
【関連出願】
【０００１】
（優先権の主張）
本出願は、２０００年７月６日に出願され、かつ２００２年８月２０日に米国特許第６４３８６３８号として発行された米国出願０９／６１０９０４の継続出願であり、「Ｆｌａｓｈｔｏａｓｔｅｒ  ｆｏｒ  ｒｅａｄｉｎｇ  ｓｅｖｅｒａｌ  ｔｙｐｅｓ  ｏｆ  ｆｌａｓｈ  ＭｅｍｏｒｙＣａｒｄｓ  ｗｉｔｈ  ｏｒ  ｗｉｔｈｏｕｔ  ａ  ＰＣ」という名称の２００２年６月１１日に出願された同時係属米国出願１０／１６７９２９、２００１年１０月２９日に出願された「Ｆｌａｓｈｔｏａｓｔｅｒ  ｆｏｒ  ｒｅａｄｉｎｇ  ｓｅｖｅｒａｌ  ｔｙｐｅｓ  ｏｆ  ｆｌａｓｈ  ＭｅｍｏｒｙＣａｒｄｓ  ｗｉｔｈ  ｏｒ  ｗｉｔｈｏｕｔ  ａ  ＰＣ」という名称の同時係属米国出願１０／０３９６８５、および２００１年１１月１日に出願された「Ａｃｔｉｖｅ  Ａｄａｐｔｅｒ  Ｃｈｉｐ  ｆｏｒ  Ｕｓｅ  ｉｎ  ａ  Ｆｌａｓｈ  Ｃａｒｄ  Ｒｅａｄｅｒ」という名称の同時係属米国出願１０／００２５６７の一部継続出願である。これらは、完全に参照によって本明細書に組み込まれ、そのすべては、本発明の譲受人に譲渡されている。
【０００２】
（著作権の注意／許可）
本特許文献の開示の一部は、著作権保護を受ける材料を含む。著作権の所有者は、本特許文献又は本特許開示が特許および商標局の特許ファイル又は記録において明らかであるので、誰かによる本特許文献又は本特許開示のそのままの複製に対し異議を唱えないが、そうでない場合、いかなるものでもすべての著作権を保持する。
【技術分野】
【０００３】
本発明は、一般に、フラッシュ・メディア・アダプタに関し、より具体的には、フラッシュ・メディア・アダプタの改良された構成に関する。
【背景技術】
【０００４】
２００１年１１月１日に出願され、本出願の譲渡人に譲渡された「Ａｃｔｉｖｅ  Ａｄａｐｔｅｒ  Ｃｈｉｐ  ｆｏｒ  Ｕｓｅ  ｉｎ  ａ  Ｆｌａｓｈ  Ｃａｒｄ  Ｒｅａｄｅｒ」という名称の米国特許出願１０／００２５６７において、コンパクトフラッシュ（登録商標）（ＣｏｍｐａｃｔＦｌａｓｈ）・カード又はＰＣＭＣＩＡ（ＰＣカード）のフォーム・ファクタを使用するフラッシュ・メディア・システム又は様々な能動フラッシュ・メディア・アダプタを構築するために使用される汎用能動フラッシュ・メディア・アダプタ・チップが開示されている。コンパクトフラッシュ・カード又はＰＣカードを読み取る標準的な読取り装置は、コンパクトフラッシュ・カードの又はＰＣカードのアダプタに差し込まれる他のフラッシュメモリ・カードを読み取ることができる。アダプタは、適用できるように、フラッシュ・メディアのそれぞれをコンパクトフラッシュ・カード・メディア又はＰＣカード・メディアと全く同様に機能させる変換チップを備えている。
【０００５】
図１は、マルチ標準カード読取り装置システム１４２を示す。マルチ標準アダプタの分野では、マルチメモリ・メディア・アダプタ１４０は、能動アダプタとすることが可能であり、又は代替として、受動アダプタとすることもできる。読取り装置１４２は、ホスト側において、コンパクトフラッシュ・カード１４９、ＰＣＭＣＩＡカード１５３、又はＩＤＥカード１５１に適応している。メディア側において、読取り装置は、同じフォーム・ファクタを有するが、わずかに異なるピンアウトを有するマルチメディアカード１４１又はセキュア・デジタル・カード１４３、異なるピンアウトを有するスマートメディア・カード１４５、又はメモリ・スティック１４７に適応している。一般に、読取り装置１４２は、類似の又はより小さいフォーム・ファクタを有する任意の一般的なフラッシュ・メディア１４６に適応している。
【０００６】
すべてのメディアが１つの開口に収まるようにコネクタを配置することが可能である。図２は、現在、標準的な市販製品として入手可能であるタイプのＰＣＭＣＩＡアダプタ・カード２００の断面で示した側面図である。図２は、ＰＣＭＣＩＡアダプタの通常の構成におけるいくつかの欠点を示す。アダプタ２００は、２つのＰＣＢ、すなわちＰＣＢ２１０とＰＣＢ２２０を含む。２つのＰＣＢは、図示されていない取付けフレーム（通常プラスチック）によって分離されている。取付けフレームは、ＰＣＢ２１０とＰＣＢ２２０との間のスペーサとして作用し、２つのＰＣＢを一緒に特定の距離に保持し、以下で記述される異なる容量で機能する。２つのＰＣＢ間の空間で、フラッシュ・メディア・カードが挿入される開口（ポート）２１１が設けられる。ＰＣＢ２３０が、ＰＣＢ２１０とＰＣＢ２２０との間にまたがって取り付けられている。ＰＣＢ２３０は、ハンドシェーキングやデータ転送を実施する制御装置チップ２３１を含む能動構成要素を包含する。ＰＣＢ２３０は、ＰＣＭＣＩＡコネクタ２４０に接続される。ＰＣＢ２３０は、ＰＣＢ２１０とＰＣＢ２２０の間にインタコネクタ２１２で取り付けられている。ＰＣＢ２１０は、２セットの浮動コンタクト・ピンを有し、コンタクト・ピン・セット２１４は９つのコンタクト・ピンを含み、コンタクト・ピン・セット２１５は１０のコンタクト・ピンを含み、それぞれ、ＭＭＣ／ＳＤとメモリスティック・フラッシュ・メディアのインタフェースとなっている。ＰＣＢ２２０は、共にスマートメディア・フラッシュ・メディアのインタフェースとなっている、それぞれ１１のピンを有する２セットの浮動コンタクト・ピン２２４、２２５を有する。
【０００７】
ＰＣＢ２１０、２２０を共に保持する取付けフレームは、各タイプのフラッシュ・メディアがコネクタ内の特定の位置に挿入されるように構成される。図２において、開口２１１が簡略的に示されている。通常、開口は異なる位置において異なる幅と高さとされた段階式であり、挿入時にフラッシュ・メディア・カードを特定の位置に割り付ける。これにより、各フラッシュ・メディアを対応するコンタクト・ピン・セットと適切に位置合わせすることが可能になる。さらに、正当なコンタクト・ピン・セットへの接続を再び保証するために、的確な深さで挿入を停止するように、通常ストップが設けられている。
【０００８】
この通常の手法は、いくつかの重大な欠点を有する。
【０００９】
製造
またがる取付け構成のフラッシュ・メディア・アダプタは、いくつかの理由で製造が非常に高価である。そのようなデバイスは、製造や試験において手作業の労働を必要とすることが多く、又は、標準的な生産技法の代わりに、非常に高価なはんだ付けロボットの使用を必要とする。他の問題は、ＰＣＢに接触するようにコネクタを２次ＰＣＢにまたがって取り付けるための、ＰＣＢへの１次コネクタ（すなわち、ＰＣＭＣＩＡ）など、製造許容度の付加的影響があり、その結果、２、３、又はいくつかの場合ではさらに４つの許容度が追加され、許容度の要件が法外に高価になる、又は製造の歩留まりについて大きな問題を生じる。さらに、ＰＣＢ２３０は、様々なフラッシュ・メディアを挿入するために割り当てられた空間において、ＰＣＢ２１０とＰＣＢ２２０との間に取り付けることができるように十分に薄くなければならない。すなわち、ＰＣＢ２３０は、ＰＣＢ２１０とＰＣＢ２２０との間に取り付けるインタコネクタ２１２と共に、開口２１１より大きくあってはならない。この設計事項に対応する薄いＰＣＢを製造することは、フラッシュ・メディア・アダプタを製造する費用と複雑さを追加する。
【００１０】
コンタクト・ピン
浮動コンタクト・ピンは、損傷や劣化を受ける。様々なフラッシュ・メディア・カードは、異なる厚さを有し、同じフラッシュ・メディアでさえ、異なる製造業者によって生産される場合、異なる厚さとなることがある。フラッシュ・メディア・カードは、浮動コンタクト・ピンに圧力を及ぼし、これにより、最終的には弾性が低減される。その後、より薄いフラッシュ・メディアがフラッシュ・メディア・アダプタに挿入されるとき、対応するコンタクト・ピンは、フラッシュ・メディア・カードと接触しなくなることがある。さらに、フラッシュ・メディア・カードが不適切に挿入される場合（たとえば、裏返し）、フラッシュ・メディア・カードを取り外すことにより、コンタクト・ピンが損傷される可能性がある。
【００１１】
インタフェース
いくつかのデバイスは、６８ピンＰＣＭＣＩＡインタフェースを有さない。たとえば、いくつかの最近のノートブック・コンピュータ・モデルは、電気的に等価な５０ピンＣＦインタフェースのみを有する。ＰＣＭＣＩＡアダプタ・カード２００などの通常のアダプタ・カードは、５０ピンＣＦインタフェースとは共存できない。
【発明の開示】
【課題を解決するための手段】
【００１２】
本発明の実施態様は、上下に面を有する第１平坦要素、上下に面を有する第２平坦要素、それらの間に配置されるスペーサからなるマルチメモリ・メディア・アダプタを提供する。２つの平坦要素は、メモリ・メディア・カードを受けることができるポートを形成する。アダプタは、少なくとも１セットのコンタクト・ピンがポート内に配置されるように、第１平坦要素の下面又は第２平坦要素の上面から突出する少なくとも１セットのコンタクト・ピンを有する。少なくとも１セットのコンタクト・ピンは、ポートに挿入されたメモリ・メディア・カードのコンタクトに接触することができる。面取り付けされた標準的なシステム・コネクタを有する第３平坦要素が第２平坦要素に隣接する。標準的なシステム・コネクタは、少なくとも１つのコンタクト・ピン・セットに電気的に接続される。
【００１３】
本発明の他の特徴および利点は、以下に続く添付の図面および詳細な記述から明らかになるであろう。
【発明を実施するための最良の形態】
【００１４】
本発明は、本発明の実施形態を示すために使用される以下の記述および添付の図面を参照することによって、最適に理解されることが可能である。
【００１５】
本発明の実施形態は、通常のアダプタ・カード構成の欠点のいくつかを低減又は排除するように構成されるマルチメモリ・メディア・アダプタ・カードを提供する。本発明の様々な実施形態によれば、従来の技術の構成の上側ＰＣＢと下側ＰＣＢは、より優れた構造一体性を与える成型プラスチック要素によって置き換えられる。またいで取り付けられていた制御装置板は、下側要素に隣接し、かつＰＣＭＣＩＡ又はコンパクトフラッシュ・コネクタとすることが可能である面取付け標準コネクタを有するＰＣＢで置き換えられる。コンタクト・ピンは、その弾性をより良好に維持し、かつメモリ・メディア・カードの取外し時に損傷を回避するように形成される。一実施形態では、ＰＣＢ上の信号ランプからポートを経て光を伝達するように、光パイプが、アダプタ・カードの上側要素と下側要素との間の適所にロックされる。
【００１６】
本発明の一実施形態の意図した利点は、アダプタ・カードの製造のコストや複雑さを低減することである。本発明の一実施形態の他の意図した利点は、より優れた構造一体性を有するアダプタ・カードを提供することである。本発明の一実施形態の他の意図した利点は、浮動コンタクト・ピンより優れた弾性で保持するコンタクト・ピンを有するアダプタ・カードを提供することである。本発明の一実施形態の他の意図した利点は、メモリ・メディア・カードの取外し時に損傷される可能性がより低いコンタクト・ピンを有するアダプタ・カードを提供することである。本発明の一実施形態の他の意図した利点は、ＰＣＭＣＩＡとコンパクトフラッシュ・コネクタを含めて、面取付け標準コネクタを有するアダプタ・カードを提供することである。
【００１７】
以下の記述において、多くの特有の詳細が述べられる。しかし、本発明の実施形態は、これらの特有の詳細を有さずに実施されることが可能であることが理解される。他の事例については、周知の回路、構造、および技法は、本記述の理解をあいまいにしないために、詳細に示されていない。
【００１８】
明細書にわたって、「一実施形態」又は「１つの実施形態」という記述は、その実施形態に関連して記述される特定の特徴、構造、又は特性が、本発明の少なくとも１つの実施形態に含まれることを意味する。したがって、明細書にわたる様々な箇所におけるフレーズ「一実施形態」又は「１つの実施形態」の出現は、必ずしもすべてが同じ実施形態を指すわけではない。さらに、特定の特徴、構造、又は特性は、１つ又は複数の実施形態において任意の適切な方式で組み合わされることが可能である。
【００１９】
同様に、本発明の例示的な実施形態の以上の記述において、本発明の様々な特徴は、開示を整備し、かつ様々な本発明の態様の１つ又は複数を理解するのを補助する目的で、単一の実施形態、図、又はその記述において共にグループ分けされることがあることを理解されたい。しかし、開示のこの方法は、主張される本発明が、各請求項において明確に述べられるより多くの特徴を必要とする意図を反映して解釈されるべきではない。むしろ、以下の請求項が反映するように、本発明の態様は、単一の以上で開示された実施形態のすべての特徴未満にある。したがって、詳細な記述に続く請求項は、この詳細な記述に明確に組み込まれ、各請求項は本発明の別々の実施形態としてそれ自身として成り立つ。
【００２０】
図３は、本発明の一実施形態による統合標準コネクタ・アダプタ・カードの断面で示した側面図である。図３に示されるアダプタ・カード３００は、上側平坦要素３１０と下側平坦要素３２０を含み、両方とも、ＰＣＢとすることが可能である。代替として、上側平坦要素３１０と下側平坦要素３２０は、成型プラスチックから形成される。図示されていないが、スペーサが、２つの平坦要素を離して保持し、メモリ・メディア・カードが挿入されるポート３１１を形成する。低い高さに対する要件を満たすために（ＰＣＭＣＩＡ又はＣＦカードの厚さ）、複数のポートが１つの開口に位置決めされ、コンタクトが両側面に分布する。さらに、ポート３１１は、メモリ・メディア・カードが不適切に挿入されるのを防止するために、カード・ストップを備えるように形成されてもよい。
【００２１】
一実施形態では、両平坦要素とそれらの間のスペーサは、成型プラスチックで形成される。そのような実施形態では、成型プラスチックは、カード・アダプタ３００の外側面に加えられる圧力に対し、より優れた抵抗を示す。これは、平坦要素３１０と平坦要素３２０が互いに接触して、潜在的に内部構成要素を損傷するのを防止するように作用する。
【００２２】
アダプタ３００は、平坦要素３１０の下面と平坦要素３２０の上面から突出しているコンタクト・ピン・セット３１５として集団的に示されるコンタクト・ピンのいくつかのセットをも含む。コンタクト・ピンは、ポート３１１に挿入されたメモリ・メディア・カードの上の対応するコンタクトに電気的に接続される。平坦要素３１０、３２０が成型プラスチックから形成される実施形態では、コンタクト・ピン・セット３１５は、突出ピンを備えた射出コンタクトで形成されてもよい。これは、従来の技術の浮動コンタクト・ピンより頑強なピンを提供し、それにより、挿入されたメモリ・メディア・カードとピンが接触しない程にコンタクト・ピンの弾性が低下する可能性が低減される。代替として、又は付加的に、コンタクト・ピンは、不適切に（又は適切に）挿入されたカードを不意に取り外すことによる損傷が低減又は排除されるように、角度を付け又は形づけることが可能である。たとえば、コンタクト・ピンの端部は、コンタクト・ピンが突出する元である表面に向かって角度を付けるか曲げることが可能であり、又は、球状に成形させてもよい。
【００２３】
アダプタ３００は、標準的なコネクタ３４０を取り付けた平坦要素３３０を含む。この平坦要素３３０は下側平坦要素３２０に隣接してる。標準コネクタ３４０は、たとえばコンパクト・フラッシュ・コネクタ又はＰＣＭＣＩＡコネクタとすることが可能であり、平坦要素３３０に面取り付けされている。標準コネクタ３４０をコンタクト・ピン３１５に電気的に接続するインタコネクタ３１２も平坦要素３３０の上にそれに直接接触させて配置されている。本発明の実施形態によれば、またがる取付けＰＣＢの必要性がなくなり、関連する製造コストや複雑さが排除される。さらに、またがる取付け構成の層を排除することによって、位置決めの精度が改善される。一実施形態では、単一のＰＣＢが、下側平坦要素３２０と上側平坦要素３３０を備えることが可能である。
【００２４】
一実施形態では、２１のピンのみを有するマルチメモリ・メディア・アダプタが、様々な市販のフラッシュ・メモリ・メディアに対応するために使用される。図４は、本発明の一実施形態による、スマートメディア、ＭＭＣ／ＳＤ、メモリ・スティックを２１ピン・コネクタにピン・マッピングする表である。
【００２５】
ピン１８は各コネクタの接地ピンである。ピン１９は、スマートメディアの電力ピンであり、一方、ピン２０は、ＭＭＣ／ＳＤおよびメモリ・スティックの電力ピンである。
【００２６】
スマートメディア・インタフェースは、８ビットの平行データ・バスを有する。これらは、ピン１〜８にマッピングされる。別々のアドレス・バスは設けられないが、アドレスとデータは多重化される。制御信号には、ラッチ・イネーブル、書込みイネーブルと保護、出力イネーブル、レディー・ハンドシェイクの制御信号がある。
【００２７】
メモリ・スティックとＭＭＣ／ＳＤフラッシュメモリカード・インタフェースでは、平行データ又はアドレス・バスは存在しない。代わりに、直列データ転送が、直列データ・ピンＤＩＯを経て行われ、これは、メモリ・スティックではピン７にマッピングされ、ＭＭＣ／ＳＤフラッシュメモリカード・インタフェースでは、ピン１０（Ｄ０）にマッピングされる。データは、ピン２１において、メモリ・スティックとＭＭＣ／ＳＤについて、それぞれＭＣＬＫとＣＬＫをクロックするように同期してクロックされる。メモリ・スティックでは、ＢＳがピン６を占め、ＭＭＣ／ＳＤでは、コマンド信号ＣＭＤがピン４を占める。メモリ・スティック・インタフェースは、４つのピンならびに電力および接地のみを必要とし、一方、ＭＭＣ／ＳＤは、８つのピンのほか電力と接地を必要とする。
【００２８】
したがって、利用可能なピンを多重化することによって、２１ピン・コネクタ（すなわち、４１ピンの代わりに）で、スマートメディア、ＭＭＣ／ＳＤ、メモリ・スティックに対応させることが可能である。一実施形態では、制御装置チップ（たとえば、制御装置チップ２３１）は、各フラッシュ・メモリ・メディアのタイプについて、ピンの構成を区別する。
【００２９】
一般事項
本発明の実施形態は、マルチメモリ・メディア・カード・アダプタの改良された構成を提供する。一実施形態では、アダプタは、機械ポートを形成し、構造内のいずれかの及びすべてのコンタクトを保持するような射出プラスチック部品とすることができ、それにより、従来の構成（すなわち、機械フレームをはさむ２つのＰＣＢ）の多くの許容度を排除する。一実施形態では、一体化されたコンタクトを有する２つのハーフ・シェルをスナップ止めし、それらを共にスナップ止めするためのガイドによる簡単であるが、精確な取付けが可能となる。具体的には、ポートの全体的なアセンブリは、上側と下側の２つの部分からなり、それぞれがコンタクトとプラスチックを有し、それぞれが、ポート開口の一部又はすべてを含み、それにより、最大１つ又は２つに許容度の数が低減される。サブアセンブリの数を３つ以上から２つ以下に低減することによって、わずかに高い器具コストで、より簡単でより精確に製造することができる。しかし、高容積で便利なタイプのデバイスであるという事実のために、高い器具コストは、より低い部品コスト、より良好な歩留まりなどによって十分以上に相殺される。さらに、コンタクトを射出されるプラスチックに埋め込むことによって、金属疲労、行程などの問題をはるかにより良好に制御することができ、ポート側コネクタの耐用期間が劇的に改善される。
【００３０】
一実施形態では、ネットワーク・コネクタに一体化されることがあるネットワーク光と同様に、ＰＣＢ上の信号ランプ（たとえば、ＬＥＤ）からの光を開口の使用者側に導くため、２つのハーフ・シェル間の適所に光パイプをロックさせることが可能である。
【００３１】
一実施形態では、またぎ取付け構成は、面取付け標準コネクタで置き換えられる。これにより、またがる構成に関連する製造コストや複雑さが低減される。
【００３２】
本発明の実施形態について、マルチメディアカード、セキュア・デジタル、スマートメディア、メモリ・スティックなどの標準的なフラッシュ・メモリに関して記述した。一般に、本発明の実施形態は、類似又はより小さいフォーム・ファクタを有する任意の一般的なフラッシュ・メモリに適用可能である。
【００３３】
本発明はいくつかの実施形態に関して記述されたが、当業者なら、本発明は、記述された実施形態に限定されず、添付の請求項の精神および範囲内において修正および変更されて実施することができることを理解するであろう。したがって、記述は、限定ではなく、例示的であると見なされるべきである。
【図面の簡単な説明】
【００３４】
【図１】マルチ標準カード読取り装置システムの図である。
【図２】現在標準的な市販製品として入手可能であるタイプのＰＣＭＣＩＡカード・アダプタの断面で示した側面図である。
【図３】本発明の一実施形態による統合標準コネクタ・カード・アダプタの断面で示した側面図である。
【図４】本発明の一実施形態による、スマートメディア、ＭＭＣ／ＳＤ、およびメモリ・スティックを２１ピン・コネクタにピン・マッピングする表である。
【図１】
0004402595.tif 000002
【図２】
0004402595.tif 000003
【図３】
0004402595.tif 000004
【図４】
0004402595.tif 000005